(57)【特許請求の範囲】
【請求項１】
感光体ドラムと除電ランプとを含むドラムユニットを有する画像形成装置であって、
前記ドラムユニットは、
前記感光体ドラムを保持するユニットフレーム本体と、
前記除電ランプを保持し、前記除電ランプの光の照射先に向かって気流を形成するための開口部を備え、前記ユニットフレーム本体に対して着脱自在に設けられたホルダーフレームと、を有し、
前記ホルダーフレームは、前記除電ランプを所定方向に複数保持しており、前記所定方向において前記除電ランプの間に配置された前記開口部を複数有し、
複数の前記開口部は、所定大きさの第１の開口部と、前記第１の開口部より大きい第２の開口部と、を含んでおり、
前記第２の開口部は、前記所定方向の両端側に配置されている、ことを特徴とする画像形成装置。
【請求項２】
前記ホルダーフレームは、嵌め合いによって、前記ユニットフレーム本体に対して着脱自在に設けられている、ことを特徴とする請求項１に記載の画像形成装置。
【請求項３】
前記開口部は、前記除電ランプの光が照射されない位置に配置されている、ことを特徴とする請求項１または２に記載の画像形成装置。
【請求項４】
前記開口部に対して送風を行う送風装置を有する、ことを特徴とする請求項１〜３のいずれか一項に記載の画像形成装置。
【発明の詳細な説明】
【技術分野】
【０００１】
本発明は、複写機、プリンター、またはファクシミリ装置等の画像形成装置に関するものである。
【背景技術】
【０００２】
フルカラー式の画像形成装置においては、イエロー（Ｙ）、マゼンダ（Ｍ）、シアン（Ｃ）及びブラック（ＢＫ）の各色にそれぞれ対応した複数の感光体ドラムの周面に、レーザスキャニングユニットを用いて電気的潜像を形成し、各色のトナーによって各色のトナー像をそれぞれ生成するように構成されている。
【０００３】
各感光体ドラムの周面に生成された各色のトナー像は、無端回走する中間転写ベルトに順次重畳転写され、これにより、中間転写ベルト上にカラー画像が合成される。次いで、この中間転写ベルト上に合成されたカラー画像を、転写ローラーを用いて用紙等からなるシート材に転写した後、定着装置で加圧・加熱することで、カラー画像を形成するように構成されている。
【０００４】
上記感光体ドラムは、装置本体に対して着脱自在にユニット化されており、メンテナンス等の際に、装置本体から取り外し可能に構成されている。この感光体ドラムを含むドラムユニットには、感光体ドラムの他に、クリーニングブレード、帯電装置、除電ランプ等が取り付けられており、それらも感光体ドラムと共に装置本体から取り出すことができるようになっている。
【０００５】
ところで、除電ランプは、飛散トナーや機内の埃等によって発光部が汚染されると、その影響で光量が落ち、ゴースト画像のような除電不良を引き起こすため、定期的なクリーニングが必要とされている。
例えば、下記特許文献１には、除電ランプのクリーニングに関し、クリーニング・トナー・マガジンにクリーニング部材を装着させ、当該マガジンを交換する際に、当該クリーニング部材で除電ランプを自動的にクリーニングするようにしたものが開示されている。
【先行技術文献】
【特許文献】
【０００６】
【特許文献１】特開平５−１８８８２８号公報
【発明の概要】
【発明が解決しようとする課題】
【０００７】
しかしながら、ドラムユニットにおいて除電ランプは入り組んだ位置に配置されているケースが多く、上記従来技術を適用してマガジン交換時に自動的にクリーニングすることが困難であるという問題がある。また、このような入り組んだ位置に配置されている除電ランプの清掃は、人の手によっても容易ではなく、特殊な工具が必要になる場合もある。
【０００８】
本発明は、上記問題点に鑑みてなされたものであり、ドラムユニットに取り付けられた除電ランプのクリーニングを容易に行うことができる画像形成装置を提供することを目的とする。
【課題を解決するための手段】
【０００９】
上記の課題を解決するために、本発明は、感光体ドラムと除電ランプとを含むドラムユニットを有する画像形成装置であって、前記ドラムユニットは、前記感光体ドラムを保持するユニットフレーム本体と、前記除電ランプを保持し、前記ユニットフレーム本体に対して着脱自在に設けられたホルダーフレームと、を有する、という構成を採用する。
この構成を採用することによって、本発明では、飛散トナーや機内の埃等によって、除電ランプの発光部が汚染された場合でも、ユニットフレーム本体から除電ランプ及びそのホルダーフレームを分離して取り外すことができるため、除電ランプのクリーニングが容易に行えるようになる。
【００１０】
また、本発明では、前記ホルダーフレームは、嵌め合いによって、前記ユニットフレーム本体に対して着脱自在に設けられている、という構成を採用する。
この構成を採用することによって、本発明では、特殊な工具を用いなくても、嵌め合いを外すことで容易にユニットフレーム本体から除電ランプ及びそのホルダーフレームを分離して取り外すことができる。
【００１１】
また、本発明では、前記ホルダーフレームは、前記除電ランプの光の照射先に向かって気流を形成するための開口部を有する、という構成を採用する。
この構成を採用することによって、本発明では、除電ランプの光の照射先には感光体ドラムが配置され、感光体ドラムからトナーが飛散してくるので、ホルダーフレームに開口部を形成し、除電ランプの光の照射先に向かって気流を形成することで、除電ランプの汚染を抑制することができる。
【００１２】
また、本発明では、前記開口部は、前記除電ランプの光が照射されない位置に配置されている、という構成を採用する。
この構成を採用することによって、本発明では、除電ランプの光が開口部から漏れて光量が落ちることはないので、ゴースト画像のような除電不良が引き起こされることを防止することができる。
【００１３】
また、本発明では、前記ホルダーフレームは、前記除電ランプを所定方向に複数保持しており、前記所定方向において前記除電ランプの間に配置された前記開口部を複数有する、という構成を採用する。
この構成を採用することによって、本発明では、除電ランプが複数設けられた場合であっても、除電ランプと除電ランプとの間に開口部が配置されているので、除電ランプの光が開口部から漏れることがなく、また、その開口部からの気流によってその両側の除電ランプの汚染を効果的に抑制することができる。
【００１４】
また、本発明では、複数の前記開口部は、所定大きさの第１の開口部と、前記第１の開口部より大きい第２の開口部と、を含んでおり、前記第２の開口部は、前記所定方向の両端側に配置されている、という構成を採用する。
この構成を採用することによって、本発明では、端に配置された除電ランプの近傍は気流が淀み易くトナーが溜まって汚染され易い傾向にあるため、端に対応する両端側の開口部を大きくすることで、除電ランプの汚染を効果的に抑制することができる。
【００１５】
また、本発明では、前記開口部に対して送風を行う送風装置を有する、という構成を採用する。
この構成を採用することによって、本発明では、除電ランプの光の照射先に向かう指向性の高い気流を形成することができる。
【発明の効果】
【００１６】
本発明によれば、ドラムユニットに取り付けられた除電ランプのクリーニングを容易に行うことができる画像形成装置が得られる。
【図面の簡単な説明】
【００１７】
【図１】本発明の第１実施形態における複写機の概略構成図である。
【図２】本発明の第１実施形態におけるドラムユニットの構成を示す断面図である。
【図３】本発明の第１実施形態における除電ランプ及びホルダーフレームの構成を示す斜視図である。
【図４】本発明の第１実施形態におけるホルダーフレームの取り付け方を説明するための図である。
【図５】本発明の第２実施形態におけるドラムユニットの構成を示す断面図である。
【図６】本発明の第２実施形態におけるホルダーフレームの構成を示す断面図である。
【図７】本発明の第２実施形態におけるホルダーフレームに設けられた開口部の長手方向における配置を説明するための模式図である。
【図８】本発明の第３実施形態におけるホルダーフレームに設けられた開口部の長手方向における配置を説明するための模式図である。
【発明を実施するための形態】
【００１８】
以下、本発明の実施形態について図面を参照して説明する。以下の説明では、本発明に係る画像形成装置として複写機を例示して説明する。
【００１９】
（第１実施形態）
図１は、本発明の第１実施形態における複写機Ｐの概略構成図である。
複写機（画像形成装置）Ｐは、排出部ａ、トナーカートリッジ収納部ｂ、画像形成部ｃ、用紙部ｄを備えている。また、複写機Ｐには、下部に位置する用紙部ｄから上部に位置する排出部ａにかけて、搬送部ｅが設けられている。また、複写機Ｐには、排出部ａの上部に、原稿を読み取るスキャナー部ｆが設けられている。
【００２０】
排出部ａは、所定の画像が形成された用紙（シート材）が搬送部ｅを介して排出されるように構成されている。この排出部ａの底面は傾斜が付されていて、排出される用紙が複数枚のときに一端側が揃えて積層できるように工夫されている。
【００２１】
トナーカートリッジ収納部ｂは、ブラックトナー（ＢＫ）のトナーカートリッジｂ１、イエロートナー（Ｙ）のトナーカートリッジｂ２、シアントナー（Ｃ）のトナーカートリッジｂ３及びマゼンダトナー（Ｍ）のトナーカートリッジｂ４を収納できるように構成されている。そして、各カートリッジｂ１〜ｂ４からは、画像形成部ｃの現像ユニットｃ２にトナーを供給できるように構成されている。
【００２２】
画像形成部ｃは、レーザースキャンニングユニットｃ１、現像ユニットｃ２、ドラムユニットｃ３、転写ユニットｃ４及び定着ユニットｃ５を含んで構成されている。現像ユニットｃ２及びドラムユニットｃ３は、カートリッジｂ１〜ｂ４に対応して一対一で設けられている。
【００２３】
レーザースキャンニングユニットｃ１は、周知のレーザースキャンニングユニットと同様に、レーザー光を発生する光ビーム発生器と、その光ビーム発生器から照射されてくる光ビームを走査するポリゴンミラーと、そのポリゴンミラーにより走査された光ビームを後述する感光体ドラム１上に結像させるｆθレンズ等を含んで構成されている。
【００２４】
現像ユニットｃ２は、感光体ドラム１に対してトナーを供給することによって感光体ドラム１の周面に形成された静電潜像を現像するものであり、感光体ドラム１の周面に対して、その半径方向において対向して配置されている。
ドラムユニットｃ３は、そのドラム周面にレーザースキャンニングユニットｃ１を用いて静電潜像が生成されると共に、トナーカートリッジ収納部ｂから現像ユニットｃ２に供給されたトナーによりトナー像が形成される感光体ドラム１を有する。
【００２５】
感光体ドラム１の周りには、転写後その周面を除電する除電ランプ２と、転写後その周面に残存したトナーを除去するクリーナー３及び転写前にその周面を帯電状態とさせる帯電器４が対向配置されている。本実施形態の除電ランプ２、クリーナー３及び帯電器４は、感光体ドラム１と共にドラムユニットｃ３として一体的に着脱自在にユニット化されている。
【００２６】
転写ユニットｃ４は、感光体ドラム１からトナー像が転写される中間転写ベルト５と、中間転写ベルト５を挟んで感光体ドラム１と対向して配置される一次転写ローラー６と、中間転写ベルト５に転写されたトナー像を二次転写する二次転写ローラー７，８と、中間転写ベルト５をクリーニングするクリーナー９と、を有している。搬送部ｅを介して所定のシート材、例えば用紙が搬送されてきたときは、その用紙を中間転写ベルト５を間に介在させた状態で二次転写ローラー７，８が回転することで、用紙に対し二次転写が行われ、当該用紙を定着ユニットｃ５側に搬送することができる。
【００２７】
定着ユニットｃ５は、転写ユニットｃ４の設けられているよりも下流側の搬送部ｅの一部に設けられていて、その搬送部ｅを搬送する用紙を挟持できるように配置された一対のローラーで構成されている。そして、定着ユニットｃ５は、その一対のローラーによって加圧・加熱して転写ユニットｃ４で転写された用紙上のトナー像を用紙に定着できるように構成されている。
【００２８】
用紙部ｄは、装置本体に対して引き出し自在に設けられている給紙カセットである。そして、用紙部ｄは、給紙カセットから搬送部ｅに１枚ずつ用紙を供給できるように構成されている。
搬送部ｅは、下部に位置する用紙部ｄから上部に位置する排出部ａにかけて設けられていて、複数の搬送ローラー及びガイド板によって構成されている。そして、この搬送部ｅは、用紙部ｄから供給された用紙を１枚ずつ排出部ａに向けて搬送できるように構成されている。
【００２９】
上記構成からなる複写機Ｐは、レーザースキャンニングユニットｃ１から感光体ドラム１に画像データに対応したレーザー光が照射されて静電潜像が形成され、供給されたトナーによってトナー像が現像される。そして、この感光体ドラム１上に担持されたトナー像は転写ユニットｃ４によって用紙に転写された後、定着ユニットｃ５で加圧・加熱されて定着処理される。最後に、画像の印刷された用紙が排出部ａに排出される。
【００３０】
続いて、図２〜図４を参照してドラムユニットｃ３の構成について説明する。
図２は、本発明の第１実施形態におけるドラムユニットｃ３の構成を示す断面図である。図３は、本発明の第１実施形態における除電ランプ２及びホルダーフレーム２０の構成を示す斜視図である。図４は、本発明の第１実施形態におけるホルダーフレーム２０の取り付け方を説明するための図であり、図２の紙面右方向から見た斜視図である。
【００３１】
図２に示すように、ドラムユニットｃ３は、感光体ドラム１と除電ランプ２とを含んで構成されている。本実施形態のドラムユニットｃ３は、さらにクリーナー３と帯電器４とを含んで構成されている。ドラムユニットｃ３においては、感光体ドラム１の周囲に各構成機器が配置される。このように、ドラムユニットｃ３では、感光体ドラム１を基準として、除電ランプ２、クリーナー３及び帯電器４の配置が設定されている。
【００３２】
ドラムユニットｃ３においては、感光体ドラム１と対向するように除電ランプ２、クリーナー３及び帯電器４が配置されている。本実施形態の除電ランプ２は、発光ダイオード（ＬＥＤ）である。除電ランプ２は、照射領域を広く確保する関係で、他の構成機器よりも感光体ドラム１に対して離れて配置されている。また、除電ランプ２は、光漏れによる光量の低下を抑制するべく、上方には庇部２２が設けられており、ドラムユニットｃ３において入り組んだ位置に配置されている。
【００３３】
ドラムユニットｃ３は、感光体ドラム１を保持するユニットフレーム本体１０を有する。ユニットフレーム本体１０は、感光体ドラム１と、さらにクリーナー３及び帯電器４を一体的に保持する構成となっている。クリーナー３は、感光体ドラム１の側方に配置されており、帯電器４は、感光体ドラム１の下方に配置されている。ユニットフレーム本体１０は、クリーナー３が配置される部分が外側に突出しており、除電ランプ２を支持する支持部１１を構成している。
【００３４】
ドラムユニットｃ３は、除電ランプ２を保持するホルダーフレーム２０を有する。ホルダーフレーム２０は、庇部２２を含み、断面視でＴ字状に形成されている。本実施形態の除電ランプ２は、ホルダーフレーム２０に対し、図３に示すように、長手方向（所定方向）に複数設けられている。この複数の除電ランプ２は、基板２１に一体的に取り付けられており、当該基板２１がホルダーフレーム２０に取り付けられることで、ホルダーフレーム２０に保持されている。
【００３５】
ホルダーフレーム２０は、ユニットフレーム本体１０に対して着脱自在に設けられている。本実施形態のホルダーフレーム２０は、図４に示すように、ユニットフレーム本体１０の支持部１１に対して着脱自在となっている。このように、除電ランプ２及びホルダーフレーム２０は、一体的にドラムユニットｃ３から取り外し可能となっている。本実施形態のホルダーフレーム２０は、嵌め合いによって、ユニットフレーム本体１０に対して取り付けられている。
【００３６】
ホルダーフレーム２０は、図３に示すように、位置決めピン２３を有する。位置決めピン２３は、ホルダーフレーム２０の長手方向（所定方向）の一端部に一体的に設けられている。位置決めピン２３は、ホルダーフレーム２０の長手方向外側に向かって突設されている。この位置決めピン２３は、図４に示すように、ユニットフレーム本体１０の位置決め穴１３に嵌入することができるようになっている。
【００３７】
ホルダーフレーム２０は、図３に示すように、係止片２４を有する。係止片２４は、ホルダーフレーム２０の長手方向の中央部に一体的に設けられている。係止片２４は、ホルダーフレーム２０の短手方向（所定方向と直交する方向）に突出し、矩形の係止穴２４ａを有している。この係止穴２４ａには、図４に示すように、ユニットフレーム本体１０の突起１４が嵌まり込めるようになっている。
【００３８】
ホルダーフレーム２０は、図３及び図４に示すように、フック２５を有する。フック２５は、ホルダーフレーム２０の長手方向の他端部に設けられている。フック２５は、ホルダーフレーム２０の長手方向の他端部において屈曲し、係止片２４が突出する方向と逆方向に延在している。フック２５の鉤形状は当該逆方向に向いて上向きになっている。このフック２５は、図４に示すように、ユニットフレーム本体１０の引っ掛け穴１５に嵌まり込めるようになっている。
【００３９】
上記構成のドラムユニットｃ３によれば、図４に示すように、位置決めピン２３と位置決め穴１３との間の嵌め合い、係止片２４と突起１４との間の嵌め合い、フック２５と引っ掛け穴１５との嵌め合いの、３点の嵌め合い／嵌め合い解除によって、ホルダーフレーム２０をユニットフレーム本体１０に対して着脱自在にすることができる。このような嵌合構造によれば、例えば、ねじ固定構造等と比較して部品点数が少なくなり、ドライバー等の工具を用いなくてもよくなるため、ユニットフレーム本体１０から除電ランプ２及びそのホルダーフレーム２０を容易に分離して取り外すことができる。
【００４０】
本実施形態では、このように、除電ランプ２を保持し、ユニットフレーム本体１０に対して着脱自在に設けられたホルダーフレーム２０を有することから、飛散トナーや機内の埃等によって、除電ランプ２の発光部が汚染された場合でも、ユニットフレーム本体１０から除電ランプ２及びそのホルダーフレーム２０を分離して取り外すことができるため、ドラムユニットｃ３に組み込まれた際に入り組んだ位置に配置される除電ランプ２であってもクリーニングを容易に行えるようになる。
【００４１】
取り外された除電ランプ２の下方は、図３に示すように広く開放されており、特殊な工具を用いなくても除電ランプ２の発光部に付着したトナー等を容易に拭き取ることができる。また、除電ランプ２の一部が何らかの原因で故障あるいは破損した場合には、取り外すことで、その交換も容易になる。本実施形態のように除電ランプ２が複数ある場合には、製品寿命のばらつきがあり、感光体ドラム１よりも製品寿命が短くなるものもあるが、このような場合であっても、除電ランプ２のみをドラムユニットｃ３から分離できるので、ドラムユニットｃ３全体を交換する必要をなくすことができ、メンテナンスを効率的に行うことができ、交換コストも低減できる。
【００４２】
したがって、上述した本実施形態によれば、感光体ドラム１と除電ランプ２とを含むドラムユニットｃ３を有する複写機Ｐであって、ドラムユニットｃ３は、感光体ドラム１を保持するユニットフレーム本体１０と、除電ランプ２を保持し、ユニットフレーム本体１０に対して着脱自在に設けられたホルダーフレーム２０と、を有する、という構成を採用することによって、ドラムユニットｃ３に取り付けられた除電ランプ２のクリーニングを容易に行うことができる複写機Ｐが得られる。
【００４３】
（第２実施形態）
次に、本発明の第２実施形態について説明する。以下の説明において、上述の実施形態と同一又は同等の構成部分については同一の符号を付し、その説明を簡略若しくは省略する。
【００４４】
図５は、本発明の第２実施形態におけるドラムユニットｃ３の構成を示す断面図である。図６は、本発明の第２実施形態におけるホルダーフレーム２０の構成を示す断面図である。図７は、本発明の第２実施形態におけるホルダーフレーム２０に設けられた開口部３０の長手方向における配置を説明するための模式図である。
第２実施形態では、ホルダーフレーム２０が除電ランプ２の光の照射先に向かって気流Ｆ（図６参照）を形成するための開口部３０を有する、という点で上記実施形態と異なる。
【００４５】
複写機Ｐの機内は、各構成機器の発熱により温度が高くなりすぎないように、ファン等によってエア（気体）の流れを形成している。第２実施形態では、このエアの流れを利用し、除電ランプ２の汚染を抑制する構成となっている。図５に示すように、ホルダーフレーム２０は、開口部３０を有する。開口部３０は、庇部２２に形成されている。なお、除電ランプ２の光の照射先に向かう指向性の高い気流を形成するために、ファンによる送風を開口部３０に案内する送風ダクト（送風装置）３１を配置することが好ましい。
【００４６】
開口部３０は、図６に示すように、除電ランプ２の光（図６において符号Ｌで示す）が照射されない位置に配置されている。開口部３０は、除電ランプ２の発光部から感光体ドラム１に向かって放射状に広がっていく光の照射範囲から退避した位置に配置されている。本実施形態の開口部３０は、除電ランプ２の鉛直上方に開口している。除電ランプ２は、上述のように長手方向に複数保持されているが、ホルダーフレーム２０は、図７に示すように、長手方向において除電ランプ２の間に配置された開口部３０を複数有している。
【００４７】
上記構成の第２実施形態によれば、ホルダーフレーム２０に開口部３０を形成し、図６に示すように、除電ランプ２の光の照射先に向かって気流Ｆを形成することで、除電ランプ２の汚染を抑制することができる。除電ランプ２の光の照射先は、ユニットフレーム本体１０とホルダーフレーム２０とによって開口されているが、開口先の感光体ドラム１からトナーが飛散してくるので、飛散トナーに対向するように気流Ｆを形成することで、除電ランプ２の汚染を抑制することができる。
【００４８】
また、第２実施形態では、開口部３０は、除電ランプ２の光が照射されない位置に配置されており、除電ランプ２の光が開口部３０から漏れて光量が落ちることはないので、ゴースト画像のような除電不良が引き起こされることを防止することができる。また、除電ランプ２が複数設けられた場合であっても、図７に示すように、除電ランプ２と除電ランプ２との間に開口部３０を配置することによって、除電ランプ２の光が開口部３０から漏れることがなく、また、その開口部３０からの気流によってその両側の除電ランプ２の汚染を抑制することができる。すなわち、図６に示すように、除電ランプ２の光は所定の指向性を有するが、光の散乱等は少なからずあるため、図７に示す配置により開口部３０を散乱光が通過する場合には斜めに入射することとなる。そうすると、開口部３０の見かけ上の開口面積が小さくなって、結果、散乱光が開口部３０から直接漏れることを抑制することができる。
【００４９】
このような第２実施形態によれば、除電ランプ２を取り付けるホルダの除電ランプ２の光が照射されない位置に開口部３０を設けているので、その開口を利用して、感光体ドラム１に向かって送風することで、飛散トナーや機内の埃等による除電ランプ２の発光部が汚染されるのを防止でき、また、除電ランプ２とホルダーフレーム２０を容易に一体的にドラムユニットｃ３から取り外し可能な構成としているので、直接発光部をクリーニング可能であるため、発光部の透明カバー等は不要になり、コスト的に有利な構成とすることができる。
【００５０】
（第３実施形態）
次に、本発明の第３実施形態について説明する。以下の説明において、上述の実施形態と同一又は同等の構成部分については同一の符号を付し、その説明を簡略若しくは省略する。
【００５１】
図７は、本発明の第３実施形態におけるホルダーフレーム２０に設けられた開口部３０の長手方向における配置を説明するための模式図である。
第３実施形態では、図７に示すように、ホルダーフレーム２０が、所定大きさの第１の開口部３０Ａと、第１の開口部３０Ａより大きい第２の開口部３０Ｂと、を有する、という点で上記実施形態と異なる。
【００５２】
第１の開口部３０Ａ及び第２の開口部３０Ｂは、上記実施形態と同様に、除電ランプ２の光の照射先に向かって気流を形成するためのものである。この第１の開口部３０Ａ及び第２の開口部３０Ｂは、ホルダーフレーム２０の庇部２２に設けられている。ホルダーフレーム２０の長手方向両側には、第２の開口部３０Ｂが配置されており、その他の領域には第１の開口部３０Ａが配置されている。
【００５３】
第３実施形態によれば、長手方向に配置された複数の開口部３０は、所定大きさの第１の開口部３０Ａと、第１の開口部３０Ａより大きい第２の開口部３０Ｂと、を含んでおり、第２の開口部３０Ｂは、長手方向の両端側に配置されている。長手方向の両端側に配置される除電ランプ２の近傍は気流が淀み易くトナー溜まり易いため、汚染され易い傾向にある。このため、長手方向の両端側に第２の開口部３０Ｂを配置し、両端側の開口面積を大きくすることで気流の流量を大きくすると共に気流を淀み難くすることができる。したがって、このような第３実施形態によれば、除電ランプ２の汚染の抑制を効率的に行うことができる。
【００５４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５５】
例えば、上記実施形態では、嵌め合いによって、ホルダーフレームをユニットフレーム本体に対して着脱自在に設ける構成について説明したが、例えば、ネジ等を用いて着脱自在な構成としてもよい。
【００５６】
また、例えば、上記実施形態では、感光体ドラムと除電ランプの間に透明カバーが無い構成について説明したが、例えば、ホルダーフレームに透明カバーを取り付けて、ドラムユニットから一体的に取り外せるような構成としてもよい。
【００５７】
また、例えば、上記実施形態では、送風装置として送風ダクトを用いる構成について説明したが、除電ランプ２周囲の構成機器が密に配置されている場合には、細い管を通してノズルから送風する構成であってもよい。また、構成機器の隙間（感光体ドラムの軸方向に延びる隙間）に向けてファンから風を送り、当該隙間を風路として長手方向（軸方向）に配置された各開口部にエアを送風する構成であってもよい。
【００５８】
また、例えば、上記実施形態では、画像形成装置として、複写機を例示したが、本発明は、例えば、プリンター、ファクシミリ装置等の画像形成装置にも適用可能である。
【符号の説明】
【００５９】
Ｐ…複写機（画像形成装置）、ｃ３…ドラムユニット、１…感光体ドラム、２…除電ランプ、１０…ユニットフレーム本体、２０…ホルダーフレーム、３０…開口部、３０Ａ…第１の開口部、３０Ｂ…第２の開口部、３１…送風ダクト（送風装置）
【図１】
0005645888.tif 000002
【図２】
0005645888.tif 000003
【図３】
0005645888.tif 000004
【図４】
0005645888.tif 000005
【図５】
0005645888.tif 000006
【図６】
0005645888.tif 000007
【図７】
0005645888.tif 000008
【図８】
0005645888.tif 000009